(57)【要約】      （修正有）【課題】断熱性に優れ、かつ装着作業が容易で、上下を逆転させても内容器が抜け落ちにくく、取り扱い性に優れた断熱容器を提供する。【解決手段】内容器１０と、内容器１０の外側に装着される外装体２０とを備え、内容器１０の下端部に第１嵌合部１６が設けられ、外装体２０は、筒部２２を備え、かつ筒部２２の下端部に、筒部２２の内側に配置された内容器１０の第１嵌合部１６と嵌合する第２嵌合部２７が設けられ、外装体２０の内側に内容器１０を配して第１嵌合部１６と第２嵌合部２７とを嵌合させた状態で、外装体２０と内容器１０の間に空間が形成されている、断熱容器１。【選択図】図２
2019135166.tif 000002
【特許請求の範囲】
【請求項１】
内容器と、前記内容器の外側に装着される外装体とを備える断熱容器であって、
前記内容器の下端部に第１嵌合部が設けられ、
前記外装体は、筒部を備え、かつ前記筒部の下端部に、前記筒部の内側に配置された前記内容器の前記第１嵌合部と嵌合する第２嵌合部が設けられ、
前記筒部の内側に前記内容器を配して前記第１嵌合部と前記第２嵌合部とを嵌合させた状態で、前記筒部と前記内容器の間に空間が形成されている、断熱容器。
【請求項２】
前記内容器が、胴部と、前記胴部の下側に設けられた高台と、を備え、
前記高台が、下方に向かうにつれて拡径するテーパー形状であり、
前記胴部と前記高台との段差部分が凹条の前記第１嵌合部になっている、請求項１に記載の断熱容器。
【請求項３】
前記外装体の前記筒部に、内側に向かって突き出るリブが形成されている、請求項１又は２に記載の断熱容器。
【請求項４】
前記内容器と前記筒部のうち少なくとも前記筒部が透明である、請求項１〜３のいずれか一項に記載の断熱容器。
【発明の詳細な説明】
【技術分野】
【０００１】
本発明は、断熱容器に関する。
【背景技術】
【０００２】
熱い飲料を入れても外周面が高温になりにくい容器として、二重構造によって断熱性を向上させた断熱容器が知られている。
特許文献１には、内容器と筒状の外装体とを備え、前記外装体内の前記内容器の胴部の周囲に空間を形成した状態で、前記内容器の底部に設けられた外装体支持部で前記外装体の底部側の開口端が支持される断熱容器が開示されている。特許文献２には、コップとリングとスリーブを備え、前記リングが前記コップと前記スリーブの間に嵌まるように前記スリーブを前記コップの外側に装着する断熱容器が開示されている。
【０００３】
しかし、特許文献１、２のような断熱容器は、内容器（コップ）と外装体（スリーブ）との装着作業が煩雑である。また装着が容易な容器形態にしようとするほど、上下が逆転したときに内容器やコップが抜け落ちやすくなり、取り扱い性が低下する。
【先行技術文献】
【特許文献】
【０００４】
【特許文献１】特開２０１７−１４５０４６号公報
【特許文献２】登録実用新案第３１４２１４５号公報
【発明の概要】
【発明が解決しようとする課題】
【０００５】
本発明は、断熱性に優れ、かつ装着作業が容易で、上下を逆転させても内容器が抜け落ちにくく、取り扱い性に優れた断熱容器を提供することを目的とする。
【課題を解決するための手段】
【０００６】
本発明は、以下の構成を有する。
［１］内容器と、前記内容器の外側に装着される外装体とを備える断熱容器であって、
前記内容器の下端部に第１嵌合部が設けられ、
前記外装体は、筒部を備え、かつ前記筒部の下端部に、前記筒部の内側に配置された前記内容器の前記第１嵌合部と嵌合する第２嵌合部が設けられ、
前記筒部の内側に前記内容器を配して前記第１嵌合部と前記第２嵌合部とを嵌合させた状態で、前記筒部と前記内容器の間に空間が形成されている、断熱容器。
［２］前記内容器が、胴部と、前記胴部の下側に設けられた高台と、を備え、
前記高台が、下方に向かうにつれて拡径するテーパー形状であり、
前記胴部と前記高台との段差部分が凹条の前記第１嵌合部になっている、［１］に記載の断熱容器。
［３］前記外装体の前記筒部に、内側に向かって突き出るリブが形成されている、［１］又は［２］に記載の断熱容器。
［４］前記内容器と前記筒部のうち少なくとも前記筒部が透明である、［１］〜［３］のいずれかに記載の断熱容器。
【発明の効果】
【０００７】
本発明の断熱容器は、断熱性に優れ、かつ装着作業が容易で、上下を逆転させても内容器が抜け落ちにくく、取り扱い性にも優れている。
【図面の簡単な説明】
【０００８】
【図１】本発明の断熱容器の一例を示した断面図である。
【図２】図１の断熱容器における外装体の筒部にリブが形成されている部分で切断した断面図である。
【図３】図２の断熱容器の外装体だけを示した断面図である。
【図４】本発明の断熱容器の他の例を示した断面図である。
【図５】図４の断熱容器の外装体だけを示した断面図である。
【図６】本発明の断熱容器の他の例を示した断面図である。
【図７】外装体の他の例を示した断面図である。
【図８】外装体の他の例を示した断面図である。
【発明を実施するための形態】
【０００９】
本発明の断熱容器は、内容器と、内容器の外側に装着される外装体とを備える。
本発明の断熱容器では、内容器の下端部に設けられた第１嵌合部と、外装体の筒部の下端部に設けられた第２嵌合部とが、外装体の筒部の内側に内容器が配置された状態で互いに嵌合される。また、外装体の筒部の内側に内容器を配して第１嵌合部と第２嵌合部とを嵌合させた状態では、外装体の筒部と内容器の間に空間が形成されている。
【００１０】
以下、本発明の断熱容器の一例を示してさらに詳細に説明する。なお、以下の説明において例示される図の寸法等は一例であって、本発明はそれらに必ずしも限定されるものではなく、その要旨を変更しない範囲で適宜変更して実施することが可能である。
【００１１】
本実施形態の断熱容器１は、図１〜３に示すように、内容器１０と、内容器１０の外側に装着する外装体２０とを備える。
【００１２】
内容器１０は、いわゆるコップであり、高台１１と、胴部１２と、フランジ部１３とを備えている。内容器１０では、高台１１と胴部１２とフランジ部１３とは一体的に形成されている。内容器１０の上端には開口１０ａが形成されている。
【００１３】
高台１１は、平面視円形状の底面部１４と、底面部１４の周縁から立ち上がる円筒状の側面部１５とを備えている。高台１１は、側面部１５が下方に向かうにつれて拡径するテーパー形状になっている。
【００１４】
胴部１２は、円筒状であり、高台１１の側面部１５の上側に設けられている。胴部１２は、上端から下方に向かうにつれて徐々に縮径するテーパー形状になっている。胴部１２がこのようなテーパー形状になっていることで、輸送時や保存時等に複数の内容器１０をスタックしやすくなり、またその状態から１つの内容器１０を抜き取って使用することが容易になる。
【００１５】
フランジ部１３は、胴部１２の上端から全周にわたって径方向の外側に突出するように形成されている。フランジ部１３は、胴部１２の上端から略水平に延出している。
【００１６】
内容器１０では、胴部１２における高台１１寄りの部分に、内側に向かって張り出す張出部１２ａが形成されている。内容器１０の下端部においては、胴部１２と高台１１の側面部１５との段差部分が、内側に凹んだ凹条の第１嵌合部１６になっている。第１嵌合部１６は、内容器１０の下端部において周方向に全周にわたって形成されている。
なお、内容器１０はあくまでも一例であり、内容器の形状は本実施形態の形状には限定されない。
【００１７】
内容器１０の材質は、特に限定されず、例えば、樹脂、紙を例示できる。樹脂としては、例えば、ポリエチレンテレフタレート等のポリエステル樹脂、ポリスチレン、ポリプロピレン、塩化ビニル系樹脂を例示できる。内容器１０の材質は、１種でもよく、２種以上でもよい。
【００１８】
内容器１０を樹脂製とする場合、内容器１０は透明であっても不透明であってもよいが、内容器１０に収容した飲料を外側から視認できる点から、透明であることが好ましい。また、内容器１０を樹脂製とする場合、耐熱性に優れた樹脂が好ましい。
内容器１０を形成する樹脂としては、透明な樹脂が好ましく、ポリプロピレンが特に好ましい。
【００１９】
外装体２０は、高台２１と、筒部２２と、フランジ部２３とを備えている。この例の外装体２０は、容器状になっている。外装体２０では、高台２１と筒部２２とフランジ部２３とは一体的に形成されている。外装体２０の上端には開口２０ａが形成されている。
【００２０】
高台２１は、平面視円形状の底面部２４と、底面部２４の周縁から立ち上がる円筒状の側面部２５とを備えている。高台２１は、側面部２５が下方に向かうにつれて拡径するテーパー形状になっている。
【００２１】
筒部２２は、円筒状であり、高台２１の側面部２５の上側に設けられている。
筒部２２は、上端から下方に向かうにつれて徐々に縮径するテーパー形状になっている。筒部２２がこのようなテーパー形状になっていることで、輸送時や保存時等に複数の外装体２０をスタックしやすなり、またその状態から１つの外装体２０を抜き取って使用することが容易になる。
【００２２】
筒部２２の高さは、外装体２０を内容器１０に装着した状態において、外装体２０の上端が内容器１０の上端から離間する高さになっている。これにより、断熱容器１の内容器１０に収容した飲料を飲む際に、外装体２０の筒部２２の上端やフランジ部２３が口に接することを抑制できるため、口当たりがより良好になる。また、内容器１０の開口１０ａを蓋体で閉じる場合には、外装体２０が前記蓋体による開閉作業の邪魔になりにくく、開閉作業が容易になる。
【００２３】
外装体２０を内容器１０に装着した状態における内容器１０の上端と外装体２０の上端との距離ｈは、内容器１０及び外装体２０のサイズに応じて適宜設定できる。距離ｈが大きくなるほど、口当たりがより良好であり、蓋体による内容器の開閉作業が容易になる。距離ｈが小さくなるほど、優れた断熱性が得られやすく、外装体２０を手で持つことが容易になる。
【００２４】
外装体２０を内容器１０に装着した状態では、筒部２２の上端は内容器１０の胴部１２から離間している。本発明では、このように、外装体を内容器に装着した状態で外装体の筒部の上端が内容器の胴部から離間していることが好ましい。これにより、断熱効果が得られる。
【００２５】
筒部２２には、上下方向に筋状に延び、内側に向かって突き出る複数のリブ２６が形成されている。この例では、平面視で、筒部２２を形成する側壁の一部が内側に向かって突き出るように部分的に屈曲されて、断面三角形状のリブ２６が形成されている。この例の筒部２２は、リブ２６が形成されている部分が内側に凹んだ状態になっている。
【００２６】
筒部２２にこのようなリブ２６が形成されることで、外装体２０の筒部２２を手で持った際に手に触れる領域が少なくなる。そのため、内容器１０に収容した飲料の熱がより手に伝わりにくくなり、断熱性がさらに向上する。また、内側に突き出るリブ２６が形成されていることで、外装体２０内における内容器１０の動きが規制されるため、外装体２０内で内容器１０がぐらつくことが抑制される。そのため、内容器１０に飲料を収容した状態での安定性が向上する。
【００２７】
リブ２６の長さ方向に垂直な断面形状は、この例では三角形状であるが、三角形状には限定されず、矩形状、半円状等であってもよい。
この例では、リブ２６は、筒部２２の上端から下端まで連続的に形成されている。なお、リブ２６は、断続的に形成されていてもよく、筒部２２の上端や下端に達しないように形成されていてもよい。リブ２６は、周方向に延びるように形成されていてもよく、上下方向に対して傾斜して形成されていてもよく、上下方向に対して螺旋状に形成されていてもよい。
【００２８】
筒部に形成するリブは、筋状でなくてもよく、正面視形状が矩形状、ダイヤ状等の部分的な凸状であってもよい。本発明では、筋状のリブと、部分的な凸状のリブとを組み合わせてもよい。
【００２９】
本実施形態では、筒部２２の周方向に等間隔に６つのリブ２６が形成されている。
リブ２６の数は、６つには限定されず、５つ以下でもよく、７つ以上でもよい。筒部にリブを形成する場合のリブの数は、リブの形状等に応じて適宜設定できる。
【００３０】
筒部にリブを形成する場合、筒部を形成する側壁から内側に突き出るリブを形成してもよい。断熱性に優れる点、及び強度や剛性が上がる点から、本実施形態のように、筒部を形成する側壁の一部を内側に向かって突き出るように部分的に屈曲又は湾曲させてリブを形成することが好ましい。
【００３１】
フランジ部２３は、筒部２２の上端から全周にわたって径方向の外側に突出するように形成されている。フランジ部２３は、筒部２２の上端から略水平に延出している。
フランジ部２３には、周方向の全周にわたって、外装体２０を正面視したときに波打つように、平面視で放射状に延びる複数の筋が形成されている。これにより、外装体２０を手で持った際にフランジ部２３に触れても、手が切れることを抑制しやすい。なお、外装体２０のフランジ部２３には、このような筋が形成されていなくてもよい。
【００３２】
外装体２０では、筒部２２における高台２１寄りの部分に、内側に向かって張り出す張出部２２ａが形成されている。外装体２０の下端部においては、筒部２２と高台２１の側面部２５との段差部分が、内側に突き出る凸条の第２嵌合部２７になっている。第２嵌合部２７は、外装体２０の下端部において周方向に全周にわたって形成されている。
【００３３】
凸条の第２嵌合部２７の先端に沿う円の直径Ｒ２は、内容器１０の高台１１の底部の最大径Ｒ１よりも小さい。
Ｒ２／Ｒ１は、１未満の範囲で適宜設定できる。Ｒ２／Ｒ１が大きくなるほど、外装体２０を内容器１０に装着する作業がより容易になる。Ｒ２／Ｒ１が小さくなるほど、内容器１０が予期せず外装体２０から抜け落ちることを抑制しやすい。
【００３４】
内容器１０の下端部の凹条の第１嵌合部１６と、外装体２０の凸条の第２嵌合部２７とは、互いに着脱自在に嵌合するようになっている。断熱容器１では、下端部で第１嵌合部１６と第２嵌合部２７を嵌合させるだけで、容易に外装体２０を内容器１０に装着できる。また、第１嵌合部１６と第２嵌合部２７を嵌合させるため、断熱容器１の上下を逆転させても内容器１０が抜け落ちることが抑制される。
なお、外装体２０はあくまでも一例であり、外装体の形状は本実施形態の形状には限定されない。第１嵌合部１６と第２嵌合部２７との嵌合は、着脱自在でなくてもよい。
【００３５】
外装体２０の材質は、特に限定されず、例えば、樹脂を例示できる。樹脂としては、例えば、ポリエチレンテレフタレート等のポリエステル樹脂、ポリスチレン、ポリプロピレン、塩化ビニル系樹脂を例示できる。外装体２０の材質は、１種でもよく、２種以上でもよい。
【００３６】
外装体２０を樹脂製とする場合、外装体２０は透明であっても不透明であってもよいが、内容器１０の胴部１２の外周面に記したロゴやデザイン等を外側から視認できる点から、透明であることが好ましい。本発明では、内容器と外装体がともに透明であることが好ましい。これにより、内容器と外装体とを二重構造とした状態で、内容器に収容した飲料を外側から視認できる。外装体２０の材質は、透明な樹脂であることが好ましく、ポリスチレンが特に好ましい。
【００３７】
本実施形態の断熱容器１においては、外装体２０の上端の開口２０ａから内容器１０を外装体２０内に挿入し、内容器１０の下端部の第１嵌合部１６と外装体２０の下端部の第２嵌合部２７とを外装体２０内で互いに嵌合させる。断熱容器１では、下端部において第１嵌合部１６と第２嵌合部２７を嵌合させるだけで内容器１０に外装体２０を装着できるため、装着作業が容易である。また、第１嵌合部１６と第２嵌合部２７が嵌合されることで、上下を逆転させても内容器１０が抜け落ちにくく、取り扱い性に優れる。
【００３８】
また、第１嵌合部１６と第２嵌合部２７を嵌合させた態様では、内容器１０の胴部１２と、外装体２０における筒部２２のリブ２６が形成されていない部分との間に空間３０が形成される。これにより、優れた断熱性が得られ、外装体２０を手で持った際に内容器１０に収容した飲料の熱が伝わりにくい。
【００３９】
断熱容器１の製造方法は、特に限定されない。内容器１０及び外装体２０を樹脂製とする場合は、公知の成形方法を利用できる。成形方法としては、例えば、プレス成形、真空成形法、圧空成形法、圧空真空成形法、射出成形法、ブロー成形法を例示できる。
【００４０】
以上説明したように、本発明の断熱容器においては、内容器の下端部の第１嵌合部と、外装体の下端部の第２嵌合部との嵌合を利用して、外装体を内容器に容易に装着できるうえ、上下を逆転させても内容器が抜け落ちにくく、取り扱い性に優れる。また、外装体を内容器に装着した状態で外装体と内容器の間に空間が形成されるため、断熱性に優れる。そのため、内容器に熱い飲料や冷たい飲料を入れても、外装体の外周面が高温になったり低温になったりしにくく、持ちやすい。
本発明の断熱容器の用途は、特に限定されず、ホットドリンク用であってもよく、コールドドリンク用であってもよい。
【００４１】
なお、本発明の断熱容器は、前記した断熱容器１には限定されない。
例えば、本発明の断熱容器において、外装体２０の高台２１の底面部２４に開口が形成されていてもよい。また、図４及び図５に示すように、高台２１を備えず、筒部２２の下端に開口２０ｂが形成された外装体２０Ａを備える断熱容器２であってもよい。外装体２０Ａでは、筒部２２の下端から内側に張り出す張出部２２ａが第２嵌合部２７Ａとして機能する。図４における図１と同じ部分には同符号を付して説明を省略する。ただし、本発明において、内容器に収容した飲料の保温性に優れる点から、外装体２０のように容器状の外装体を備えることが好ましい。
【００４２】
本発明の断熱容器は、図６に示すように、高台１１を備えず、胴部１２の下端部に内側に凹んだ凹条の第１嵌合部１６Ａが形成された内容器１０Ａと、高台２１を備えず、筒部２２の下端部に内側に突き出た凸条の第２嵌合部２７Ｂが形成された外装体２０Ｂとを備える断熱容器３であってもよい。
【００４３】
本発明においては、第１嵌合部及び第２嵌合部は断続的に形成されていてもよい。また、第１嵌合部及び第２嵌合部は、互いに嵌合する態様であればよく、第１嵌合部が内容器の胴部から外側に突き出る凸条で、第２嵌合部が外装体の筒部から外側に向かって凹んだ凹条になっていてもよい。
【００４４】
外装体の筒部にリブを形成する態様は、特に限定されない。例えば、図７に示すように、上下方向に延びるリブ２６と周方向に延びるリブ２６Ａを組み合わせた外装体２０Ｃであってもよい。図８に示すように、上下方向に延びるリブ２６と、正面視形状がダイヤ状の凸状のリブ２６Ｂを組み合わせた外装体２０Ｄであってもよい。
【符号の説明】
【００４５】
１…断熱容器、１０…内容器、１１…高台、１２…胴部、１３…フランジ部、１４…底面部、１５…側面部、１６…第１嵌合部、２０…外装体、２１…高台、２２…筒部、２３…フランジ部、２４…底面部、２５…側面部、２６…リブ、２７…第２嵌合部、３０…空間。
【図１】
2019135166.tif 000003
【図２】
2019135166.tif 000004
【図３】
2019135166.tif 000005
【図４】
2019135166.tif 000006
【図５】
2019135166.tif 000007
【図６】
2019135166.tif 000008
【図７】
2019135166.tif 000009
【図８】
2019135166.tif 000010